(57)【要約】      （修正有）【課題】飲料容器、特に、熱中症対策に適したミスト機能付きの飲料容器を提供する。【解決手段】正面側シート２ａと背面側シート２ｂを相互に固着する輪郭固着手段３を設け、該輪郭固着手段により囲まれた両シートの間に内部空間を形成して成るパウチ容器１により構成され、前記内部空間を横断して両シートを相互に固着する区画固着手段４を設けることにより、飲料を貯留する第１貯留室５とミスト用液体を貯留する第２貯留室６を区成して成り、第１貯留室を外部に向けて連通する開閉自在な飲み口具８と、第２貯留室のミスト用液体を外部に向けて噴霧可能とする噴霧具１０を設けている。【選択図】図１
0003224976.tif 000002
【実用新案登録請求の範囲】
【請求項１】
飲料(7)を貯留する第１貯留室(5)とミスト用液体)9)を貯留する第２貯留室(6)を区成して成り、第１貯留室を外部に向けて連通する開閉自在な飲み口具(8)と、第２貯留室のミスト用液体を外部に向けて噴霧可能とする噴霧具(10)を設けて成ることを特徴とする飲料容器。
【請求項２】
正面側シート(2a)と背面側シート(2b)を相互に固着する輪郭固着手段(3)を設け、該輪郭固着手段により囲まれた両シートの間に内部空間を形成して成るパウチ容器(1)により構成され、
前記内部空間を横断して両シートを相互に固着する区画固着手段(4)を設け、内部空間を区成することにより第１貯留室(5)と第２貯留室(6)を形成して成ることを特徴とする請求項１に記載の飲料容器。
【請求項３】
前記輪郭固着手段(3)は、パウチ容器(1)の上縁を形成する上縁部(3a)と、該上縁部から斜め下向きに延びる傾斜縁部(3b)を備え、傾斜縁部(3b)に臨んで第１貯留室(5)を形成すると共に、上縁部(3a)に臨んで第２貯留室(6)を形成しており、
前記傾斜縁部(3b)を貫通して飲み口具(8)を設けると共に、前記上縁部(3a)を貫通して噴霧具(10)を設けて成ることを特徴とする請求項２に記載の飲料容器。
【考案の詳細な説明】
【技術分野】
【０００１】
本考案は、飲料容器に関し、特に、熱中症対策に適したミスト機能付きの飲料容器に関する。
【背景技術】
【０００２】
種々の形式とされた飲料容器のうち、比較的安価であり、繰返し使用が可能なパウチ容器が好評を博している。
【先行技術文献】
【特許文献】
【０００３】
【特許文献１】特願２０１４−１８９３１８号公報
【特許文献２】特願２０１７−１５４７５３号公報
【考案の概要】
【考案が解決しようとする課題】
【０００４】
公知のとおり、パウチ容器から成る飲料容器は、正面側シートと背面側シートを相互に固着する輪郭固着手段を設け、該輪郭固着手段により囲まれた両シートの間に内部空間を形成しており、輪郭固着手段を貫通する飲み口具を設けている。従って、不使用時には、偏平で薄い形態となるため、折畳んでバッグに収容し、簡便に携帯することができる。また、使用時には、飲み口具のキャップを開放し、飲み口具から内部空間に所望の飲料を注入し、携帯中、随時、飲料を飲むことができる。
【０００５】
しかしながら、パウチ容器に限らず、従来の飲料容器は、飲料の飲用に供するという単一目的に限定されており、多目的性を有しない問題がある。
【０００６】
この点に関して、本考案者は、近年、夏季における猛暑の影響により、熱中症の対策が強く望まれていることに鑑み、その対策を飲料容器に設けることが有意義であることを知得した。
【０００７】
熱中症対策に関しては、気化熱により雰囲気温度を低下させることが可能であるから、容器に貯留した水等の液体を霧化したミストとして噴霧できるように構成することが好ましい。
【０００８】
本考案は、上記に鑑み、飲料の飲用機能と、ミストの噴霧機能を具備した飲料容器の提供を目的としている。
【課題を解決するための手段】
【０００９】
そこで、本考案が手段として構成したところは、飲料を貯留する第１貯留室とミスト用液体を貯留する第２貯留室を区成して成り、第１貯留室を外部に向けて連通する開閉自在な飲み口具と、第２貯留室のミスト用液体を外部に向けて噴霧可能とする噴霧具を設けて成る点にある。
【００１０】
本考案の好ましい実施形態によれば、飲料容器は、正面側シートと背面側シートを相互に固着する輪郭固着手段を設け、該輪郭固着手段により囲まれた両シートの間に内部空間を形成して成るパウチ容器により構成されており、前記内部空間を横断して両シートを相互に固着する区画固着手段を設け、内部空間を区成することにより第１貯留室と第２貯留室を形成している。
【００１１】
前記輪郭固着手段は、パウチ容器の上縁を形成する上縁部と、該上縁部から斜め下向きに延びる傾斜縁部を備え、傾斜縁部に臨んで第１貯留室を形成すると共に、上縁部に臨んで第２貯留室を形成しており、前記傾斜縁部を貫通して飲み口具を設けると共に、前記上縁部を貫通して噴霧具を設けることが好ましい。
【考案の効果】
【００１２】
本考案によれば、第１貯留室５に所望の飲料を貯留し、飲み口具８から飲用する飲料容器に関して、第１貯留室５から区成された別の第２貯留室６を形成し、該第２貯留室６に水等のミスト用液体９を貯留し、噴霧具１０により、ミストＭとして外部の雰囲気に向けて噴霧することができる構成とされている。このため、真夏の猛暑日等において、ユーザが飲料容器を携帯することにより、飲料の飲用だけでなく、ミストＭの気化熱による周囲の雰囲気温度の低下を可能にするという利点がある。
【図面の簡単な説明】
【００１３】
【図１】本考案の１実施形態に係る飲料容器を示す斜視図である。
【図２】１実施形態に係る飲料容器を示す正面図である。
【図３】１実施形態に係る飲料容器に関して、第１貯留室に飲料を貯留し、第２貯留室にミスト用液体を貯留した状態を示す断面図である。
【図４】第１貯留室と飲み口具を示しており、（Ａ）は飲み口具を閉塞すると共に保護キャップを被冠させた状態を示す断面図、（Ｂ）は飲み口具の固定筒体を開放させた状態を示す断面図、（Ｃ）はプッシュプル式の開閉口を閉塞した状態を示す断面図、（Ｄ）は開放した状態を示す断面図である。
【図５】第２貯留室と噴霧具を示しており、（Ａ）は噴霧具に保護キャップを被冠させた状態を示す断面図、（Ｂ）は噴霧具の固定筒体を開放させた状態を示す断面図、（Ｃ）は噴霧具を休止させた状態を示す断面図、（Ｄ）は噴霧具を作動させてミストを噴霧させた状態を示す断面図である。
【考案を実施するための形態】
【００１４】
以下図面に基づいて本考案の好ましい実施形態を詳述する。
【００１５】
（全体的構成）
図示のように、飲料容器は、正面側シート２ａと背面側シート２ｂを相互に固着する輪郭固着手段３を設け、該輪郭固着手段３により囲まれた両シート２ａ、２ｂの間に内部空間を形成して成るパウチ容器１により構成されている。具体的には、プラスチックフィルムないしシートから成る正面側シート２ａと背面側シート２ｂをヒートシール又は超音波シール又は高周波シールすることにより輪郭固着手段３が形成されている。
【００１６】
前記輪郭固着手段３は、パウチ容器１の上縁を形成する上縁部３ａと、該上縁部３ａから斜め下向きに延びる傾斜縁部３ｂを備えることが好ましく、傾斜縁部３ｂと底縁部３ｃの間を連結する第１側縁部３ｄと、その反対側で上縁部３ａと底縁部３ｃの間を連結する第２側縁部３ｅを備えている。
【００１７】
そこで、上縁部３ａと第２側縁部３ｅを連結すると共に前記内部空間を横断するほぼＬ形に延びる区画固着手段４を設けることにより、正面側シート２ａと背面側シート２ｂを相互に固着し、内部空間を区成することにより第１貯留室５と第２貯留室６が形成されている。前記輪郭固着手段３と同様に、区画固着手段４もヒートシール又は超音波シール又は高周波シールにより形成される。
【００１８】
図示のように、第１貯留室５は、飲料７を貯留するためのものであり、傾斜縁部３ｂに臨んで形成されており、該傾斜縁部３ｂを貫通して第１貯留室５を外部に向けて連通する開閉自在な飲み口具８が設けられている。
【００１９】
第２貯留室６は、水等のミスト用液体９を貯留するためのものであり、上縁部３ａに臨んで形成されており、該上縁部３ａを貫通して第２貯留室６を外部に向けて連通させ、ミスト用液体９を外部に向けて噴霧可能とする噴霧具１０が設けられている。
【００２０】
図１及び図２に示すように、パウチ容器１は、上縁部３ａの両端部に位置して、鳩目金具等による係止孔１１、１１を設け、肩掛け用ストラップ１２の係止具１３を係脱自在に係止することにより、携帯便利となるように構成することが好ましい。
【００２１】
（飲み口具）
飲み口具８は、第１貯留室５を外部に向けて開閉自在に連通させるものであれば良く、具体的構成が限定されるものではないが、その具体例を図４に例示している。
【００２２】
具体例において、飲み口具８は、第１貯留室５に臨む上縁部３ａに水密的に貫設された固定筒体１４と、該固定筒体１４に被冠状態で着脱自在に螺着されるベース体１５と、該ベース体１５に組付けられたプッシュプル式の飲み口材１６により構成されている。尚、飲み口材１６には、透明プラスチック製の保護キャップ１７が着脱自在に被冠されている。
【００２３】
図４（Ｂ）に示すように、ベース体１５を取外して固定筒体１４を開放することにより、第１貯留室５に飲料７を注入し充填することができる。飲料７は、適宜に選択することができ、水や清涼飲料水や果実飲料等、自由に選択すれば良い。
【００２４】
固定筒体１４にベース体１５を螺着して被冠させた状態で、飲み口材１６は、ベース体１５に対して、相互に嵌合するそれぞれの筒壁１５ａ、１６ａを摺動させることにより押下げと引上げによるプッシュプル式を構成しており、図４（Ｃ）に示すように、プッシュ（押下げ）状態としたとき、飲み口材１６の開口部１６ｂがベース体１５のバルブ片１５ｂに当接することにより閉塞される。
【００２５】
飲み口材１６は、図４（Ｄ）に示すように、プル（引上げ）状態としたとき、開口部１６ｂがバルブ片１５ｂから離れ、このとき、第１貯留室５から固定筒体１３とベース体１５の通路１５ｃを経て開口部１６ｂに飲料７を注出する流路が形成される。
【００２６】
これにより、ユーザは、飲み口材１６の開口部１６ｂから注出される飲料７を飲用することができる。この際、飲み口具８は、パウチ容器１の傾斜縁部３ｂから斜め上向きに突出しているので、ユーザの唇に臨ませやすい姿勢とされており、飲用が容易である。
【００２７】
（噴霧具）
噴霧具１０は、第２貯留室６のミスト用液体９を外部に向けて霧状のミストとして噴霧可能とするものであれば良く、具体的構成が限定されるものではないが、その具体例を図５に例示している。
【００２８】
具体例において、噴霧具１０は、第２貯留室６に臨む傾斜縁部３ｂに水密的に貫設された固定筒体１８と、該固定筒体１８に被冠状態で着脱自在に螺着されるベース体１９と、該ベース体１９に組付けられたピストン２０ａとノズル体２０ｂを有するポンプ材２０により構成されており、ベース体１９の内部空間により形成されたシリンダ１９ａにピストン２０ａを摺動自在に嵌入し、スプリング２１によりピストン２０ａを押上げている。ベース体１９の下端にはシリンダ１９ａに連通するストローから成る汲み上げ管２２が第２貯留室６の内部に向けて垂設されている。尚、ベース体１９には、ノズル体２０ｂを被う透明プラスチック製の保護キャップ２３が着脱自在に被冠されている。
【００２９】
図５（Ｂ）に示すように、ベース体１９を取外して固定筒体１８を開放することにより、第２貯留室６にミスト用液体９を注入し充填することができる。ミスト用液体９は、水、その他の液体から適宜に選択することができる。
【００３０】
図４（Ｃ）に示すように、固定筒体１８にベース体１９を螺着して被冠させた状態で、ノズル体２０ｂはピストン２０ｂと共にスプリング２１により押上げられており、噴霧具１０を休止させている。
【００３１】
この状態から、図４（Ｄ）に示すように、ノズル体２０ｂをスプリング２１に抗して押下げることにより、ピストン２０ａを下動すると、第２貯留室６の内圧が高められ、ミスト用液体９が汲み上げ管２２を介して汲み上げられ、ピストン２０ａとノズル材２０ｂの内部に形成された流路を経て、外部に吐出される。この際、流路に設けられたオリフィス２０ｃを通過することにより、液体９が霧化されたミストＭになってノズル材２０ｂから外部の大気に向けて噴出される。
【００３２】
このようにして、ユーザは、身体の周囲にミストＭを噴霧し、その気化熱により周囲の雰囲気温度を低下させ、熱中症を防止することができる。この際、噴霧具１０は、パウチ容器１の上縁部３ａから上向きに突出すると共に、ノズル材２０ｂの側方に向けてミストＭを噴出するように構成されているので、ユーザの身体の周囲にミストＭを噴霧しやすい姿勢とされており、噴霧作業が容易である。
【００３３】
上記実施形態は、飲料容器をパウチ容器１により構成した例について説明したが、本考案の飲料容器は、パウチ容器に限らず、射出成形やブロー成形により形成された種々の容器により構成しても良い。
【符号の説明】
【００３４】
１  パウチ容器
２ａ  正面側シート
２ｂ  背面側シート
３  輪郭固着手段
３ａ  上縁部
３ｂ  傾斜縁部
３ｃ  底縁部
３ｄ  第１側縁部
３ｅ  第２側縁部
４  区画固着手段
５  第１貯留室
６  第２貯留室
７  飲料
８  飲み口具
９  ミスト用液体
１０  噴霧具
１１  係止孔
１２  肩掛け用ストラップ
１３  係止具
１４  固定筒体
１５  ベース体
１５ａ  筒壁
１５ｂ  バルブ片
１５ｃ  通路
１６  飲み口材
１６ａ  筒壁
１７  保護キャップ
１８  固定筒体
１９  ベース体
１９ａ  シリンダ
２０  ポンプ材
２０ａ  ピストン
２０ｂ  ノズル体
２０ｃ  オリフィス
２１  スプリング
２２  汲み上げ管
２３  保護キャップ
【図１】
0003224976.tif 000003
【図２】
0003224976.tif 000004
【図３】
0003224976.tif 000005
【図４】
0003224976.tif 000006
【図５】
0003224976.tif 000007